(57)【要約】  表示装置の左右方向での位置ずれを抑え、且つ、ユーザの鼻にかかる荷重を低減できるヘッドマウントディスプレイを提案する。鼻パッド組立体Ｈは、フレーム（３１）と、フレーム（３１）に取り付けられている鼻パッド（３２）とを有している可動部（Ｍ２）と、装置本体（１０）に取り付けられ、フレーム（３１）を支持している支持機構（Ｍ１）とを有している。支持機構（Ｍ１）は、前後方向での鼻パッド（３２）の動きを許容するようにフレーム（３１）を支持している。
2019058875.tif 000002
【特許請求の範囲】
【請求項１】
表示装置を有している装置本体と、
前記装置本体が接続されている、ユーザの頭部に装着するための装着部材と、
ユーザの鼻に配置するための鼻パッド組立体と、を有し、
前記鼻パッド組立体は、
フレームと、前記フレームに取り付けられている鼻パッドとを有している可動部と、
前記装置本体に取り付けられ、前記フレームを支持している支持機構と、を有し、
前記支持機構は、前後方向での前記鼻パッドの動きを許容するように前記フレームを支持している
ことを特徴とするヘッドマウントディスプレイ。
【請求項２】
前記支持機構は、左右方向に沿った軸部を中心にして前記フレームが回転可能となるように、前記フレームを支持している
ことを特徴とする請求項１に記載のヘッドマウントディスプレイ。
【請求項３】
前記フレームは、初期位置である第１の位置と、前記第１の位置よりも前方に規定されている第２の位置との間で動くことができ、
前記支持機構は、前記フレームを前記第１の位置に向けて付勢する弾性部材を有している
ことを特徴とする請求項１に記載のヘッドマウントディスプレイ。
【請求項４】
前記フレームは、端部に前記鼻パッドが取り付けられている右延伸部と、端部に前記鼻パッド部が取り付けられている左延伸部とを有し、
前記可動部は、前記右延伸部の基部と前記左延伸部の基部とが取り付けられているフレームベース部を有し、
前記弾性部材は、前記フレームベース部を付勢している
ことを特徴とする請求項３に記載のヘッドマウントディスプレイ。
【請求項５】
前記鼻パッド組立体と前記装置本体のうちは一方はユーザが操作するための操作部を有し、
前記鼻パッド組立体のうち前記少なくとも鼻パッドは、ユーザによる前記操作部の操作を受けて前記装置本体から取り外し可能である
ことを特徴とする請求項１に記載のヘッドマウントディスプレイ。
【請求項６】
前記装置本体は被係合部を有し、
前記鼻パッド組立体は係合部を有し、
前記係合部と前記被係合部との係合によって、前記鼻パッド組立体の前記装置本体への取り付けが維持されており、
前記係合部と前記被係合部との係合は、ユーザによる前記操作部の操作によって、解除可能である
ことを特徴とする請求項５に記載のヘッドマウントディスプレイ。
【請求項７】
前記鼻パッド組立体は、前記鼻パッド組立体と前記装置本体との分離が規制されるロック位置と、前記鼻パッド組立体と前記装置本体との分離が許容される分離位置との間で、上下方向において動くことができる
ことを特徴とする請求項６に記載のヘッドマウントディスプレイ。
【請求項８】
前記鼻パッドは、前記フレームに取り付けられている上部と、前記上部から下方に伸びている遮光部とを有している
ことを特徴とする請求項１に記載のヘッドマウントディスプレイ。
【請求項９】
前記遮光部は鉛直線を囲むように湾曲している
ことを特徴とする請求項８に記載のヘッドマウントディスプレイ。
【請求項１０】
前記鼻パッドの右縁と左縁とに切り欠きが形成されている
ことを特徴とする請求項８に記載のヘッドマウントディスプレイ。
【発明の詳細な説明】
【技術分野】
【０００１】
本発明はヘッドマウントディスプレイに関する。
【背景技術】
【０００２】
従来、ユーザの頭部に装着してユーザに映像を提示するヘッドマウントディスプレイが利用されている。ヘッドマウントディスプレイのなかには、頭部を囲む環状の装着バンドを有しているものがある。下記特許文献１のヘッドマウントディスプレイは、装着バンドの長さを調整するための調整機構を有している。また、ヘッドマウントディスプレイのなかには、ユーザの鼻上に配置される鼻パッドを有しているものがある（例えば、特許文献２）。
【先行技術文献】
【特許文献】
【０００３】
【特許文献１】国際公開第２０１５／１３７１６５号
【特許文献２】特開２０１２−１６８２９７号公報
【発明の概要】
【発明が解決しようとする課題】
【０００４】
鼻パッドを有しているヘッドマウントディスプレイを使用するとき、ヘッドマウントディスプレイからユーザの鼻に荷重が作用する。特に鼻パッドと調整機構とを有するヘッドマウントディスプレイにおいては、調整機構を操作して装着バンドの長さを小さくすると、ユーザの鼻に鼻パッドから荷重がかかる。鼻にかかる荷重を低減するために鼻パッドを柔らかい材料で形成すると、ユーザの眼の位置に対する左右方向での表示装置の位置ずれが許容されてしまう。表示装置の位置がずれていると、表示装置が高画質の映像を提供していても、ユーザはその高画質を十分には認識できない。【０００５】
本開示の目的の１つは、表示装置の左右方向での位置ずれを抑え、且つ、ユーザの鼻にかかる荷重を低減できるヘッドマウントディスプレイを提案することにある。
【課題を解決するための手段】
【０００６】
本明細書で提案するヘッドマウントディスプレイは、表示装置を有している装置本体と、前記装置本体が接続されている、ユーザの頭部に装着するための装着部材と、ユーザの鼻に配置するための鼻パッド組立体と、を有している。前記鼻パッド組立体は、フレームと前記フレームに取り付けられている鼻パッドとを有している可動部と、前記装置本体に取り付けられ、前記可動部を支持している支持機構と、を有している。前記支持機構は、前後方向での前記鼻パッドの動きを許容するように前記フレームに連結されている。このヘッドマウントディスプレイによると、表示装置の左右方向での位置ずれを抑え、且つ、ユーザの鼻にかかる荷重を低減できる。
【図面の簡単な説明】
【０００７】
【図１】本発明の実施形態の一例としてのヘッドマウントディスプレイを示す斜視図である。
【図２Ａ】鼻パッド組立体及び装置本体に設けられている台部材の斜視図である。この図では、鼻パッド組立体の可動部は初期位置に配置されている。
【図２Ｂ】鼻パッド組立体及び装置本体に設けられている台部材の斜視図である。この図では、鼻パッド組立体の可動部は最大傾斜位置に配置されている。
【図３Ａ】鼻パッド組立体と台部材とが分離した状態を示す斜視図である。
【図３Ｂ】鼻パッド組立体と台部材とが分離した状態を示す斜視図である。
【図４Ａ】鼻パッド組立体の可動部の分解斜視図である。
【図４Ｂ】鼻パッド組立体の可動部の分解斜視図である。
【図５】図２Ａに示すＶ−Ｖ線での断面図である。
【図６】鼻パッド組立体の変形例を示す斜視図である。
【図７】図６に示す鼻パッド組立体と眼鏡との位置関係を示す斜視図である。
【図８】図６に示す鼻パッド組立体の動きを示す側面図である。
【発明を実施するための形態】
【０００８】
以下、本発明の実施形態について説明する。以下の説明では、図１のＹ１及びＹ２が示す方向をそれぞれ前方及び後方と称し、図１のＺ１及びＺ２の示す方向をそれぞれ上方及び下方と称する。また、図１のＸ１及びＸ２が示す方向をそれぞれ右方向及び左方向と称する。以下の説明では、ヘッドマウントディスプレイをＨＭＤと称する。
【０００９】
図１に示すように、ＨＭＤ１は表示装置１１を有している装置本体１０を有している。表示装置１１は、例えば液晶表示装置や有機エレクトロルミネセンス表示装置であるが、その種類は特に限定されない。ＨＭＤ１の使用時、表示装置１１はユーザの眼前に配置される。ＨＭＤ１の例では、装置本体１０は表示装置１１を収容しているハウジング１２を有している。ハウジング１２は、右眼用の開口１２Ｒと左眼用の開口１２Ｌとを有している。ＨＭＤ１はハウジング１２を有していなくてもよい。すなわち、本発明は、表示装置１１が外部に露出している眼鏡型のヘッドマウントディスプレイに適用されてもよい。
【００１０】
図１に示すように、ＨＭＤ１は、その上部に、ユーザの頭部に装着するための装着バンド１３を有している。装着バンド１３はＨＤＭ１の平面視において環状であり、ＨＭＤ１の使用時にはユーザの頭部を取り囲む。装着バンド１３は、その前部にユーザの額にあたるフロント支持部１３ａを有している。フロント支持部１３ａは装置本体１０の上部に接続している。また、装着バンド１３は調整機構１３ｂを有している。調整機構１３ｂには、ユーザが操作するための図示していない操作部が設けられている。ユーザは操作部を操作することによって装着バンド１３の長さを調整でき、装着バンド１３の長さを自身の頭部のサイズに合致させることができる。装着バンド１３の構造は、ＨＭＤ１の例に限られない。例えば、装着バンド１３は、装置本体１０の右部と左部とに接続されてもよい。
【００１１】
図１に示すように、装置本体１０には、ＨＭＤ１の使用時にユーザの鼻に配置されて装置本体１０を支持するための鼻パッド組立体Ｈが取り付けられている。鼻パッド組立体Ｈは、装置本体１０の左右方向での中心に配置されている。ＨＭＤ１の例では、鼻パッド組立体Ｈは、ハウジング１２が有している左右の開口１２Ｒ、１２Ｌの間に位置している。
【００１２】
図２Ａ及び図２Ｂに示すように、鼻パッド組立体Ｈは、可動部Ｍ２を有している。後述するように、可動部Ｍ２は、その端部に設けられている鼻パッド３２が前後方向で動くことができるように、支持機構Ｍ１によって支持されている。可動部Ｍ２は、フレーム３１を有している。鼻パッド３２はフレーム３１の端部に取り付けられている。ＨＭＤ１の使用時、鼻パッド３２はユーザの鼻に接する。鼻パッド３２は、クッション性を有する材料（例えばゴム）で形成されてもよいし、クッション性を有していない材料（例えば、プラスチック）で形成されてもよい。可動部Ｍ２は左右方向で離れた２つの鼻パッド３２を有している。ＨＭＤ１の例では、フレーム３１は２本の延伸部３１ａを有しており、２つの鼻パッド３２は２本の延伸部３１ａの端部にそれぞれ取り付けられている。
【００１３】
フレーム３１は、例えば金属やプラスチックなど十分な剛性を有する材料で形成される。こうすることで、ＨＭＤ１の使用時、鼻パッド組立体Ｈの位置がユーザの鼻によって規定され、表示装置１１の位置が右方向又は左方向にずれてしまうことを防ぐことができる。ＨＭＤ１の例では、棒状の金属を複数の位置で屈曲せることによって２本の延伸部３１ａを有するフレーム３１が形成されている。鼻パッド３２とフレーム３１は同じ材料で形成されてもよいし、互いに異なる材料で形成されてもよい。鼻パッド３２とフレーム３１が同じ材料で形成される場合、それらは一体的に形成されてもよい。鼻パッド３２とフレーム３１が異なる材料で形成される場合、フレーム３１は鼻パッド３２よりも高い剛性を有する材料で形成されてもよい。
【００１４】
図２Ａに示すように、フレーム３１は、２本の延伸部３１ａの基部が固定されている板状のベース部３１ｂを有している。延伸部３１ａはベース部３１ｂから下方且つ後方に斜めに伸びている。可動部Ｍ２は後述する支持部材４１に連結されるフレームベース部材３３を有している。ベース部３１ｂはこのフレームベース部材３３に、固定具（例えば螺子３４）によって固定されている。
【００１５】
可動部Ｍ２の構造は、ＨＭＤ１の例に限られない。例えば、左右の鼻パッド３２は互いに繋がっていてもよい。この場合、フレーム３１は１つの延伸部で鼻パッド３２を支持してもよい。さらに他の例では、フレームベース部材３３は、フレーム３１と一体的に形成された部材でもよい。この場合、フレーム３１とフレームベース部材３３はプラスチックによって形成されてもよい。
【００１６】
可動部Ｍ２におけるフレーム３１の位置は上下方向において調整可能となっている。より具体的には、フレームベース部材３３に対するフレーム３１の位置が、上下方向において調整可能となっている。上述したように、ＨＭＤ１の例では、フレーム３１のベース部３１ｂは螺子３４によってフレームベース部材３３に取り付けられている。図４Ａに示すように、ベース部３１ｂには螺子３４が差し込まれる穴３１ｃが形成されている。この穴３１ｃは上下方向に細長い穴となっている。したがって、ユーザは自身の鼻の位置に合わせて、可動部Ｍ２の高さ、すなわち鼻パッド３２の高さを調整できる。ＨＭＤ１は、鼻パッド３２の高さを調整するためのこのような機構を、必ずしも有していなくてもよい。
【００１７】
図４Ａ及び図４Ｂに示すように、鼻パッド組立体Ｈは可動部Ｍ２を支持している支持機構Ｍ１を有している。支持機構Ｍ１は装置本体１０に取り付けられ、前後方向での鼻パッド３２の動きを許容するようにフレーム３１を支持している。この支持機構Ｍ１によると、ユーザの鼻に作用する荷重を軽減できる。例えばユーザが調整機構１３ｂを操作して、装着バンド１３の長さを自身の頭部のサイズに適合させたときにユーザの鼻に作用する荷重を軽減できる。その結果、ユーザはＨＭＤ１を快適に装着できる。また、ユーザの鼻のサイズの違いを鼻パッド組立体Ｈで吸収できる。その結果、ユーザは、自身の鼻のサイズによることなく、ＨＭＤ１を快適に装着できる。
【００１８】
ＨＭＤ１の例では、図４Ａ及び図４Ｂに示すように、支持機構Ｍ１は、支持部材４１と、支持部材４１によって支持され左右方向に沿って配置されている支持軸４２とを有している。支持部材４１は、支持軸４２を介してフレーム３１を支持している。詳細には、支持軸４２は、支持部材４１に形成された穴４１ａと、フレーム３１が取り付けられているフレームベース部材３３に形成された筒部３３ａとに差し込まれている。したがって、フレームベース部材３３とフレーム３１は、支持軸４２（すなわち、左右方向に沿った軸線Ｒ１（図２Ａ参照））を中心として回転可能となっており、鼻パッド３２は支持軸４２を中心として前後方向において動くことができる。鼻パッド３２は、図５に示すように、支持軸４２より下方に位置している。
【００１９】
支持機構Ｍ１は、ＨＭＤ１の例に限られない。例えば、支持軸４２は、支持部材４１と一体的に形成されてもよい。そして、フレームベース部材３３はこの支持軸４２に引っかかるように構成されてもよい。さらに他の例では、支持軸４２は、フレームベース部材３３と一体的に形成された部位であってもよい。そして、支持部材４１は、この支持軸に引っかかるように構成されてもよい。さらに他の例では、支持機構Ｍ１は可動部Ｍ２が前後方向において平行に動くことができるように、フレーム３１を支持してもよい。
【００２０】
可動部Ｍ２は、初期位置（図２Ａ参照）と、初期位置よりも前方に規定されている最大傾斜位置（図２Ｂ参照）との間で動くことができる。支持機構Ｍ１は、可動部３３を初期位置に向けて付勢する弾性部材を有している。この構造によると、ＨＭＤ１の使用時に鼻パッド３２が適度な力でユーザの鼻に押しつけられ、ＨＭＤ１の装着安定性を向上できる。
【００２１】
ＨＭＤ１の例では、支持機構Ｍ１は弾性部材として板ばね４３（図４Ａ参照）を有している。板ばね４３はその上部に、支持部材４１に固定されている固定部４３ａを有している。図５に示すように、板ばね４３は、固定部４３ａから上述した支持軸４２の前側を通過して、下方に伸びている押し部４３ｂを有している。押し部４３ｂは、フレーム３１が取り付けられている上述したフレームベース部材３３の前方に位置し、フレームベース部材３３を初期位置に向けて付勢する。このように板ばね４３がフレームベース部材３３を押すので、２つの鼻パッド３２を１つの板ばね４３で初期位置に向けて付勢することができる。その結果、例えば、ばねが２本の延伸部３１ａのそれぞれに設けられる構造に比して、部品数を低減できる。
【００２２】
可動部Ｍ２を初期位置に付勢するための構造はＨＭＤ１の例に限られない。例えば、支持機構Ｍ１は板ばね４３に代えて、コイルばねや、トーションばね、ゴムなどを弾性部材として用いてもよい。
【００２３】
支持機構Ｍ１は、最大傾斜位置を超える可動部Ｍ２の動きを規制するストッパを有してもよい。ＨＭＤ１の例では、図５に示すように、フレームベース部材３３の筒部３３ａの外周面に被ストッパ部３３ｂを有している。被ストッパ部３３ｂは筒部３３ａの外周面から突出している。一方、支持部材４１はストッパ部４１ｃを有している。図５の二点鎖線で示されるように、可動部Ｍ２が最大傾斜位置にあるとき、被ストッパ部３３ｂはストッパ部４１ｃにあたり、最大傾斜位置を超える可動部Ｍ２の動きが規制される。被ストッパ部３３ｂとストッパ部４１ｃの位置や形状は変更されてよい。
【００２４】
鼻パッド組立体Ｈと装置本体１０のうち一方には、ユーザが操作するための操作部が設けられている。鼻パッド組立体Ｈは、ユーザによる操作部の操作を受けて、装置本体１０から取り外すことができる。ＨＭＤ１の例では、図３Ａに示すように、支持部材４１に操作部４１ｅが設けられており、ユーザは操作部４１ｅを操作することで、鼻パッド組立体Ｈを装置本体１０から取り外ことができる。ユーザは、鼻パッド組立体Ｈを装置本体１０から取り外すことで、例えば眼鏡を使用しながらＨＭＤ１を容易に装着できる。
【００２５】
図３Ａに示すように、装置本体１０は台部材１５を有している。台部材１５は、固定具（例えば、螺子１５ａ（図５参照））によって、ハウジング１２に取り付けられている。ハウジング１２がフレームを有している場合には、台部材１５はそのフレームに取り付けられてもよい。さらに他の例では、台部材１５は、ハウジング１２やフレームに一体的に形成されてもよい。
【００２６】
支持部材４１は台部材１５に取り付けられている。詳細には、図３Ａに示すように、台部材１５には穴１５ｂが形成されている。支持部材４１には穴１５ｂに嵌まる突部４１ｆ（図３Ｂ及び図５参照）を有している。突部４１ｆは、その端部に、突部４１ｆの他の部分よりも太い係合部４１ｇ（図３Ｂ参照）を有している。ＨＭＤ１の例では、左右方向での係合部４１ｇの幅が、突部４１ｆのその他の部分よりも大きい。係合部４１ｇは台部材１５に形成されている穴１５ｂの縁に引っかかっている。このことによって、係合部４１ｇの後方への移動、すなわち鼻パッド組立体Ｈの後方への移動が規制されている。すなわち、鼻パッド組立体Ｈの台部材１５からの分離（言い換えれば、装置本体１０からの分離）が規制されている。
【００２７】
図３Ａに示すように、穴１５ｂは上下方向に細長い穴である。穴１５ｂは、その最下部に、穴１５ｂの他の部分よりも大きい大径部１５ｅを含んでいる。大径部１５ｅのサイズは、支持部材４１の係合部４１ｇ（突部４１ｆの端部）の左右方向での幅よりも大きい。従って、突部４１ｆが穴１５ｂの最下部にあるときに、支持部材４１は台部材１５から後方に取り外すことができる。反対に、突部４１ｆが最下部よりも高い位置にあるとき、支持部材４１の台部材１５からの分離は規制される。以下では、突部４１ｆが穴１５ｂの最下部（大径部１５ｅ）にあるときの鼻パッド組立体Ｈの位置を「分離位置」と称する。
【００２８】
図４Ａに示すように、支持部材４１は、その最上部に、上述した操作部４１ｅを有している。操作部４１ｅは、その上端に、係合部４１ｈを有している。係合部４１ｈは、例えば鉤状である。一方、台部材１５は被係合部１５ｃ（図５参照）を有している。上述した支持部材４１の突部４１ｆが台部材１５の穴１５ｂの上部に位置しているとき、係合部４１ｈは被係合部１５ｃに係合している（図５参照）。係合部４１ｈと被係合部１５ｃとの係合によって、鼻パッド組立体Ｈの下方への移動（すなわち、鼻パッド組立体Ｈの分離位置に向けた移動）が規制されている（以下では、係合部４１ｈが被係合部１５ｃに係合している状態での鼻パッド組立体Ｈの位置を「ロック位置」と称する。）。すなわち、係合部４１ｈと被係合部１５ｃとの係合によって、鼻パッド組立体Ｈの装置本体１０への取り付けが維持されている。
【００２９】
ユーザは、操作部４１ｅを操作して被係合部１５ｃと係合部４１ｈとの係合を解除することによって、鼻パッド組立体Ｈを上述した分離位置まで移動でき、鼻パッド組立体Ｈを台部材１５から取り外すことができる。鼻パッド組立体Ｈの取り付け作業時には、支持部材４１の突部４１ｆを台部材１５の穴１５ｂの大径部１５ｅに差し込み、その後に、鼻パッド組立体Ｈを上方にスライドさせる。そして、鼻パッド組立体Ｈが上述したロック位置に配置されると、操作部４１ｅの係合部４１ｈが被係合部１５ｃに係合し、突部４１ｆの係合部４１ｇが穴１５ｂの縁に引っかかる。これによって、鼻パッド組立体Ｈの台部材１５に取り付けられる。このように、鼻パッド組立体Ｈは、ロック位置と分離位置との間で上下方向において移動可能となっている。
【００３０】
図５に示すように、操作部４１ｅは支持軸４２の位置からを上方に伸びている。ＨＭＤ１の例では、操作部４１ｅは、操作部４１ｅの下部に位置し上方に伸びている弾性部４１ｉを有している。弾性部４１ｉはその下端を中心として前後方向において弾性的に揺動可能である。係合部４１ｈは台部材１５の被係合部１５ｃの前方に位置している。したがって、操作部４１ｅが前方に押されると、弾性部４１ｉが前方に傾き、係合部４１ｈと被係合部１５ｃとの係合が解除される。
【００３１】
なお、鼻パッド３２を取り外すための構造は、ＨＭＤ１の例に限られない。例えば、鼻パッド組立体Ｈの全体が台部材１５から取り外されるのではなく、可動部Ｍ２だけ、或いは、鼻パッド３２とフレーム３１だけが、装置本体１０から取り外し可能であってもよい。さらに他の例として、鼻パッド組立体Ｈと装置本体１０のうち一方には、ユーザが操作するための操作部として、ユーザが引っ張ることのできる部位が設けられてもよい。
【００３２】
ＨＭＤ１の例では、操作部４１ｅを有している支持部材４１はプラスチックによって形成されている。弾性部４１ｉは他の部材によって補強されてもよい。例えば、弾性部４１ｉは金属で形成されている部材によって補強されてもよい。ＨＭＤ１の例では、可動部Ｍ２を初期位置に付勢する板ばね４３が補強部材として機能している。詳細には、図５に示すように、板ばね４３は、固定部４３ａから上方に伸びている補強部４３ｄを有している。補強部４３ｄは操作部４１ｅの弾性部４１ｉの前方に位置している。操作部４１ｅが前方に押され、弾性部４１ｉが前方に傾くとき、補強部４３ｄは弾性部４１ｉが過剰に大きく傾くことを防ぐ。このように板ばね４３の一部を補強部４３ｄとして利用するので、部品数の低減を図ることができる。なお、補強部４３ｄと弾性部４１ｉとの間には隙間が設けられてもよい。この場合、弾性部４１ｉが補強部４３ｄに当たるまでは、比較的小さな力で操作部４１ｅを押すことができる。弾性部４１ｉが補強部４３ｄに当たった後には、操作部４１ｅを押すためにはより大きな力が必要とされ、補強部４１ｉが過剰に大きく傾くことを防ぐことができる。
【００３３】
図５に示すように、操作部４１ｅは、係合部４１ｈと弾性部４１ｉとの間に、下側水平部４１ｍと、上側水平部４１ｎと、被押圧部４１ｐとを有している。下側水平部４１ｍは弾性部４１ｉの上端から後方に伸びている。被押圧部４１ｐは、下側水平部５１ｍの後端から上方に伸びており、操作部４１ｅの他の部分よりも後方に位置している。このため、ユーザは操作部４１ｅを操作するとき、被押圧部４１ｐを押すことができる。上側水平部４１ｎは被押圧部４１ｐの上端から前方に伸び、係合部４１ｈに繋がっている。
【００３４】
図３Ａに示すように、操作部４１ｅは、下側水平部４１ｍと、上側水平部４１ｎと、被押圧部４１ｐの左右の縁に、それらを繋ぐ補強壁部４１ｑを有している。この補強壁部４１ｑによって、操作部４１ｅの剛性を向上でき、弾性部４１ｉ以外の部位が変形することを抑えることができる。
【００３５】
鼻パッド組立体Ｈと装置本体１０は、左右方向及び前後方向での装置本体１０に対する鼻パッド組立体Ｈの位置を規定し且つ上下方向でのそれらの相対動を許容するガイド部及び被ガイド部をそれぞれ有している。ＨＭＤ１の例では、図３Ｂに示すように、支持部材４１は、上下方向において伸びており且つ台部材１５に向かって突出している被ガイド部４１ｒを有している。被ガイド部４１ｒは、例えば突部４１ｆの右側と左側とに形成される。一方、台部材１５は、図３Ａに示すように、左右の被ガイド部４１ｒの間に配置されるガイド部１５ｆを有している。上述した穴１５ｂはガイド部１５ｆに形成されている。ガイド部１５ｆの左右の側面１５ｇに左右の被ガイド部４１ｒの内側の面があたり、そのことによって、ガイド部１５ｆは左右方向での被ガイド部４１ｒの位置を規定する。ガイド部１５ｆと左右の被ガイド部４１ｒは上下方向における相対動は可能となっている。
【００３６】
図３Ａに示すように、ガイド部１５ｆは、被ガイド部４１ｒの前方に位置し且つ上下方向において伸びている前側ストッパ部１５ｈを有している。ＨＭＤ１の例では、前側ストッパ部１５ｈはガイド部１５ｆの側面１５ｇから右方向及び左方向に張り出している。支持部材４１の被ガイド部４１ｒは前側ストッパ部１５ｈに当たる。上述したように、鼻パッド組立体Ｈの後方への移動は、支持部材４１に形成されている突部４１ｆと台部材１５の穴１５ｂとの作用によって規制されている。この突部４１ｆと穴１５ｂの作用と、前側ストッパ部１５ｈと被ガイド部４１ｒとの作用とによって、前後方向での装置本体１０に対する鼻パッド組立体Ｈの位置が規定されている。
【００３７】
左右方向及び前後方向での装置本体１０に対する鼻パッド組立体Ｈの位置を規定するための構造は、ＨＭＤ１の例に限られない。例えば、台部材１５にガイド用の溝が形成され、この溝に被ガイド部４１ｒが差し込まれてもよい。そして、溝の縁によって左右方向での位置が規定され、溝の底部によって前後方向での位置が規定されてもよい。
【００３８】
以上説明したように、ＨＭＤ１において、鼻パッド組立体Ｈは、フレーム３１と、フレーム３１に取り付けられている鼻パッド３２とを有している可動部Ｍ２と、装置本体１０に取り付けられ、フレーム３１を支持している支持機構Ｍ１とを有している。支持機構Ｍ１は、前後方向での鼻パッド３２の動きを許容するようにフレーム３１を支持している。この構造によると、ＨＭＤ１の使用時、鼻パッド組立体Ｈの位置がユーザの鼻によって規定され、表示装置１１の位置が右方向又は左方向にずれてしまうことをフレーム３１によって防ぐことができる。また、ユーザの鼻に作用する荷重を支持機構Ｍ１によって軽減できる。例えばユーザが調整機構１３ｂを操作して、装着バンド１３の長さを自身の頭部のサイズに適合させたときにユーザの鼻に作用する荷重を軽減できる。
【００３９】
図６乃至図８は、鼻パッド組立体Ｈの変形例である鼻パッド組立体Ｈ１を示す図である。これらの図では、これまで説明した鼻パッド組立体Ｈの部位と同一の部位には同一符号を付している。以下では、鼻パッド組立体Ｈとは異なる点を中心にして説明する。鼻パッド組立体Ｈ１に関して説明の無い事項については、鼻パッド組立体Ｈと同様である。
【００４０】
図６に示すように、鼻パッド組立体Ｈ１は、鼻パッド１３２を有している。鼻パッド１３２は、上述した鼻パッド３２と同様、フレーム３１に取り付けられている。鼻パッド１３２は鼻パッド３２よりも大型であり、鼻パッド１３２の上部１３２ｂはフレーム３１の左右の延伸部３１ａの双方に取り付けられている。すなわち、上部１３２ｂは左右の延伸部３１ａに掛け渡されている。この取付構造により、フレーム３１への鼻パッド１３２の取付安定性を向上できる。
【００４１】
図６に示すように、鼻パッド１３２は、ユーザの鼻背部にフィットするように湾曲している。すなわち、鼻パッド１３２は、鉛直線Ｌ１を取り囲む円弧状に湾曲している。鼻パッド１３２のこの湾曲形状により、及びユーザの鼻によるＨＭＤ１の支持安定性を向上できる。また、鼻パッド１３２は、下方に伸びている遮光部１３２ａを有している。遮光部１３２は鉛直線Ｌ１を囲むように湾曲し、且つ、下側に行くにつれて鉛直線Ｌ１から遠ざかるように広がっている。鼻パッド１３２のこの形状により、ＨＭＤ１の下側からユーザの瞳に向かう光を、遮光部１３２で遮ることができる。ＨＭＤ１の使用時、例えば、遮光部１３２ａの上部１３２ｆとその近傍がユーザの鼻で支持される。遮光部１３２ａは、フレーム３１の延伸部３１ａの下端３１ｄよりもさらに下方に伸びている（図８Ａ参照）。遮光部１３２はＨＭＤ１の下面の近傍に達していてもよい。遮光部１３２ａはフレーム３１によって支持されているので、ユーザの鼻のサイズに合わせて、支持軸４２（左右方向に沿った軸線）を中心として前後方向に動くことができる。そのため、ユーザの鼻のサイズによらず高い遮光性を確保できる。
【００４２】
鼻パッド１３２は、可撓性及び／又は弾性を有する材料（例えば、シリコーンゴム）で形成される。これによって、ユーザの鼻の形状に鼻パッド１３２の形状をフィットさせることができる。鼻パッド組立体Ｈ１では、フレーム３１は２本の棒状の延伸部３１ａで鼻パッド１３２を支持している。そのため、遮光部１３２ａの形状はフレーム３１によっては完全には拘束されず、ＨＭＤ１の使用時、遮光部１３２ａはユーザの鼻に合わせて変形できる。図８Ａに示すように、鼻パッド組立体Ｈ１の例では、遮光部１３２ａはフレーム３１の下端３１ｄよりもさらに下方に伸びており、フレーム３１の下端３１ｄよりも下方に位置する部分は、その形状について高い自由度を有する。遮光部１３２ａの右部と左部との間には、スリット１３２ｅが形成されてもよい。このスリット１３２ｅにより、遮光部１３２ａの形状の自由度をさらに増すことができる。
【００４３】
フレーム３１のサイズ・形状と遮光部１３２ａのサイズ・形状は、鼻パッド組立体Ｈ１の例に限られない。例えば、フレーム３１の延伸部３１ａは遮光部１３２ａの下端に達していてもよい。
【００４４】
図８Ａに示すように、鼻パッド１３２は、その上部の後側の縁（左右の縁）に、切り欠きＮ１を有している。言い換えれば、上部１３２ｂの後縁１３２ｄは、遮光部（下部）１３２ａの後縁１３２ｃよりも前方に位置している。そして、２つの後縁１３２ｄ、１３２ｃは、側面視において、水平な縁を介して繋がっている。この切り欠きＮ１の存在により、図８Ｂに示すように、ユーザが眼鏡を使用するとき、その眼鏡が鼻パッド１３２と干渉することを抑えることができ、眼鏡を使用するユーザも快適にＨＭＤ１を使用できる。なお、図８Ｂでは、ユーザの鼻によって前方に押され、前方に傾斜した鼻パッド１３２が示されている。
【００４５】
ＨＭＤ１及び鼻パッド組立体Ｈ、Ｈ１は本発明の一例にすぎず、本発明は種々の変更が可能である。本発明の主旨を保った適宜の変更は本発明の範囲に含まれる。
【図１】
2019058875.tif 000003
【図２Ａ】
2019058875.tif 000004
【図２Ｂ】
2019058875.tif 000005
【図３Ａ】
2019058875.tif 000006
【図３Ｂ】
2019058875.tif 000007
【図４Ａ】
2019058875.tif 000008
【図４Ｂ】
2019058875.tif 000009
【図５】
2019058875.tif 000010
【図６】
2019058875.tif 000011
【図７】
2019058875.tif 000012
【図８】
2019058875.tif 000013
【手続補正書】
【提出日】平成31年1月17日(2019.1.17)
【手続補正１】
【補正対象書類名】特許請求の範囲
【補正対象項目名】全文
【補正方法】変更
【補正の内容】
【特許請求の範囲】
【請求項１】
表示装置を有している装置本体と、
前記装置本体が接続されている、ユーザの頭部に装着するための装着部材と、
ユーザの鼻に配置するための鼻パッド組立体と、を有し、
前記鼻パッド組立体は、
フレームと、前記フレームに取り付けられている鼻パッドとを有している可動部と、
前記装置本体に取り付けられ、前記フレームを支持している支持機構と、を有し、
前記支持機構は、前後方向での前記鼻パッドの動きを許容するように前記フレームを支持し、
前記フレームは、初期位置である第１の位置と、前記第１の位置よりも前方に規定されている第２の位置との間で動くことができ、
前記支持機構は、前記フレームを前記第１の位置に向けて付勢する弾性部材を有している
ことを特徴とするヘッドマウントディスプレイ。
【請求項２】
前記支持機構は、左右方向に沿った軸部を中心にして前記フレームが回転可能となるように、前記フレームを支持している
ことを特徴とする請求項１に記載のヘッドマウントディスプレイ。
【請求項３】
（削除）
【請求項４】
前記フレームは、端部に前記鼻パッドが取り付けられている右延伸部と、端部に前記鼻パッド部が取り付けられている左延伸部とを有し、
前記可動部は、前記右延伸部の基部と前記左延伸部の基部とが取り付けられているフレームベース部を有し、
前記弾性部材は、前記フレームベース部を付勢している
ことを特徴とする請求項１に記載のヘッドマウントディスプレイ。
【請求項５】
前記鼻パッド組立体と前記装置本体のうちは一方はユーザが操作するための操作部を有し、
前記鼻パッド組立体のうち前記少なくとも鼻パッドは、ユーザによる前記操作部の操作を受けて前記装置本体から取り外し可能である
ことを特徴とする請求項１に記載のヘッドマウントディスプレイ。
【請求項６】
前記装置本体は被係合部を有し、
前記鼻パッド組立体は係合部を有し、
前記係合部と前記被係合部との係合によって、前記鼻パッド組立体の前記装置本体への取り付けが維持されており、
前記係合部と前記被係合部との係合は、ユーザによる前記操作部の操作によって、解除可能である
ことを特徴とする請求項５に記載のヘッドマウントディスプレイ。
【請求項７】
前記鼻パッド組立体は、前記鼻パッド組立体と前記装置本体との分離が規制されるロック位置と、前記鼻パッド組立体と前記装置本体との分離が許容される分離位置との間で、上下方向において動くことができる
ことを特徴とする請求項６に記載のヘッドマウントディスプレイ。
【請求項８】
前記鼻パッドは、前記フレームに取り付けられている上部と、前記上部から下方に伸びている遮光部とを有している
ことを特徴とする請求項１に記載のヘッドマウントディスプレイ。
【請求項９】
前記遮光部は鉛直線を囲むように湾曲している
ことを特徴とする請求項８に記載のヘッドマウントディスプレイ。
【請求項１０】
前記鼻パッドの右縁と左縁とに切り欠きが形成されている
ことを特徴とする請求項８に記載のヘッドマウントディスプレイ。
【国際調査報告】
2019058875.tif 000014
2019058875.tif 000015
2019058875.tif 000016
2019058875.tif 000017